【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
ｍ個の電極と、ｎ個の第一の外部端子とを備え、サブストレート上に取り付けるのに適したコンデンサであって、
前記ｍ個の電極のそれぞれは間隔をあけて並列に配置されており、
ｍは１よりも大きい整数であり、
前記ｍ個の電極のそれぞれは第一のエクステンションを備えており、
ｎは１よりも大きい整数であり、
前記ｎ個の第一の外部端子は、前記コンデンサの第一の共通外表面上に配置されており、
前記ｍ個の電極板の偶数番目のものの第一のエクステンションは、前記ｎ個の第一の外部端子の偶数番目のものに連結されており、
前記ｍ個の電極板の奇数番目のものの第一のエクステンションは、前記ｎ個の第一の外部端子の奇数番目のものに連結されており、
前記ｎ個の第一の外部端子は、寄生インダクタンスを最小にするように、お互いから予め定められた最小距離で配置されており、
前記ｎ個の第一の外部端子が前記サブストレートに接続された場合において、当該コンデンサの前記ｍ個の電極は前記サブストレートに対して垂直に配置され、
当該コンデンサの前記サブストレートより上の高さは、当該コンデンサの幅よりも大きい
ことを特徴とするコンデンサ。
【請求項２】
前記予め定められた最小距離は、前記ｎ個の第一の外部端子間のクロストークを防ぐ最小距離であることを特徴とする請求項１に記載のコンデンサ。
【請求項３】
前記ｎ個の第一の外部端子は並列に配置されていることを特徴とする請求項１に記載のコンデンサ。
【請求項４】
ｎ＝２であり、前記ｎ個の第一の外部端子は並列に配置されていることを特徴とする請求項１に記載のコンデンサ。
【請求項５】
ｎ＝３であり、前記ｎ個の第一の外部端子は並列に配置されており、前記ｎ個の第一の外部端子の偶数番目のものは、前記ｎ個の第一の外部端子の奇数番目のものの間に配置されていることを特徴とする請求項１に記載のコンデンサ。
【請求項６】
誘電性材料が前記ｍ個の電極板のそれぞれの間に備えられていることを特徴とする請求項１に記載のコンデンサ。
【請求項７】
前記ｎ個の第一の外部端子の外側のものは、前記コンデンサの前記共通外表面上および前記コンデンサの対応する側面上に設けられていることを特徴とする請求項１に記載のコンデンサ。
【請求項８】
ｍ個の電極と、ｎ個の第一の外部端子とを備え、サブストレート上に取り付けるのに適したコンデンサであって、
前記ｍ個の電極のそれぞれは間隔をあけて並列に配置されており、
ｍは３よりも大きい整数であり、
前記ｍ個の電極のそれぞれは第一のエクステンションを備えており、
前記ｎ個の第一の外部端子は、前記コンデンサの第一の共通外表面上に配置されており、
前記ｍ個の電極板の偶数番目のものの第一のエクステンションは、前記ｎ個の第一の外部端子の偶数番目のものに連結されており、
前記ｍ個の電極板の奇数番目のものの第一のエクステンションは、前記ｎ個の第一の外部端子の奇数番目のものに連結されており、
前記ｎ個の第一の外部端子が前記サブストレートに接続された場合において、当該コンデンサの前記ｍ個の電極は前記サブストレートに対して垂直に配置され、
前記ｎ個の第一の外部端子は、寄生インダクタンスを最小にするように、お互いから予め定められた最小距離で配置されており、
ｎは４であり、
前記ｎ個の第一の外部端子のうちの第一のものと第二のものとは、第一の列に配置されており、
前記ｎ個の第一の外部端子のうちの第三のものと第四のものとは、第二の列に配置されており、
前記ｎ個の第一の外部端子の前記第一のものは、前記ｎ個の第一の外部端子の前記第二および第四のものに隣接し、かつ前記第三のものの対角に配置されており、
前記ｎ個の第一の外部端子の前記第二のものは、前記第四のものの対角に配置されていることを特徴とするコンデンサ。
【請求項９】
前記ｍ個の電極板のそれぞれは第二のエクステンションを有しており、
前記コンデンサはｓ個の第二の外部端子を備えており、ｓは１よりも大きい整数であり、
前記ｓ個の第二の外部端子は前記コンデンサの第二の共通外表面上に配置されており、
前記ｍ個の電極板の偶数番目のものの第二のエクステンションは、前記ｓ個の第二の外部端子のうちの偶数番目のものに連結されており、
前記ｍ個の電極板の奇数番目のものの第二のエクステンションは、前記ｓ個の外部端子のうちの奇数番目のものに連結されていることを特徴とする請求項１に記載のコンデンサ。
【請求項１０】
前記第二の共通外表面は、前記第一の共通外表面に対向して設けられていることを特徴とする請求項９に記載のコンデンサ。
【請求項１１】
前記ｍ個の電極板のそれぞれは、第二のエクステンションを有しており、
前記コンデンサはｓ個の第二の外部端子を備えており、ｓは１よりも大きい整数であり、
前記ｓ個の第二の外部端子のうちの偶数番目のものは、前記コンデンサの第三の外表面上に設けられており、
前記ｓ個の第二の外部端子のうちのき数番目のものは、前記コンデンサの第四の外表面上に設けられており、
前記ｍ個の電極板のうちの偶数番目のものの前記第二のエクステンションは、前記ｓ個の第二の外部端子の偶数番目のものと連結されており、
前記ｍ個の電極板のうちの奇数番目のものの前記第二のエクステンションは、前記ｓ個の第二の外部端子の奇数番目のものと連結されていることを特徴とする請求項１に記載のコンデンサ。
【請求項１２】
前記ｎ個の第一の外部端子はバー構造を有することを特徴とする請求項１に記載のコンデンサ。
【請求項１３】
インダクタと、
ｍ個の電極と、ｎ個の第一の外部端子とを有し、サブストレート上に取り付けるのに適したコンデンサであって、
前記ｍ個の電極のそれぞれは間隔をあけて並列に配置されており、
ｍは１よりも大きい整数であり、
前記ｍ個の電極のそれぞれは第一のエクステンションを備えており、
ｎは１よりも大きい整数であり、
前記ｎ個の第一の外部端子は、前記コンデンサの第一の共通外表面上に配置されており、
前記ｍ個の電極板の偶数番目のものの第一のエクステンションは、前記ｎ個の第一の外部端子の偶数番目のものに連結されており、
前記ｍ個の電極板の奇数番目のものの第一のエクステンションは、前記ｎ個の第一の外部端子の奇数番目のものに連結されている
コンデンサとを備え、
前記インダクタは、前記ｎ個の第一の外部端子の偶数番目のものに接続されており、
出力端子が、前記ｎ個の第一の外部端子の偶数番目のものに接続されており、基準電圧は前記ｎ個の第一の外部端子の奇数番目のものに接続されていることを特徴とするフィルタ。
【請求項１４】
請求項１３に記載のフィルタを備えている電圧調整器。
【請求項１５】
複数のＰＣＢ接触部と、
請求項１に記載の複数のコンデンサと
を備え、
前記複数のコンデンサは、少なくとも２つのコンデンサの並列接続を容易にするように前記ＰＣＢ接触部に連結されていることを特徴とするプリント回路基板（ＰＣＢ）。
【請求項１６】
第一のコンデンサと第二のコンデンサとを備えるコンデンサ構造であって、
前記第一のコンデンサは、ｍ個の電極と、ｎ個の第一の外部端子と、ｓ個の第二の外部端子とを有し、サブストレート上に取り付けるのに適しており、
前記ｍ個の電極のそれぞれは間隔をあけて並列に配置されており、
ｍは３よりも大きい整数であり、
前記ｍ個の電極のそれぞれは第一のエクステンションを備えており、
前記ｍ個の電極のそれぞれは第二のエクステンションを備えており、
ｎは１よりも大きい整数であり、
前記ｎ個の第一の外部端子は、前記コンデンサの第一の共通外表面上に配置されており、
前記ｍ個の電極板の偶数番目のものの第一のエクステンションは、前記ｎ個の第一の外部端子の偶数番目のものに連結されており、
前記ｍ個の電極板の奇数番目のものの第一のエクステンションは、前記ｎ個の第一の外部端子の奇数番目のものに連結されており、
ｓは１よりも大きい整数であり、
前記ｓ個の第二の外部端子は前記コンデンサの第二の共通外表面上に配置されており、
前記ｎ個の第一の外部端子が前記サブストレートに接続された場合において、当該コンデンサの前記ｍ個の電極は前記サブストレートに対して垂直に配置され、
前記ｍ個の電極板の偶数番目のものの第二のエクステンションは、前記ｓ個の第二の外部端子のうちの偶数番目のものに連結されており、
前記ｍ個の電極板の奇数番目のものの第二のエクステンションは、前記ｓ個の外部端子のうちの奇数番目のものに連結されており、
前記第二のコンデンサは、ｘ個の電極と、ｓ個の第三の外部端子とを有し、
前記ｘ個の電極のそれぞれは間隔をあけて並列に配置されており、
ｘは１よりも大きい整数であり、
前記ｘ個の電極のそれぞれは第三のエクステンションを備えており、
前記ｓ個の第三の外部端子は、前記コンデンサの第三の共通外表面上に配置されており、
前記ｘ個の電極板の偶数番目のものの第三のエクステンションは、前記ｓ個の第三の外部端子の偶数番目のものに連結されており、
前記ｘ個の電極板の奇数番目のものの第三のエクステンションは、前記ｓ個の第三の外部端子の奇数番目のものに連結されており、
前記第二のコンデンサは、前記第一のコンデンサの上に実装され、
前記ｓ個の第三の外部端子は、それぞれ前記ｓ個の第二の外部端子の対応する一つに接続されることを特徴とするコンデンサ構造。
【請求項１７】
ｓ＝２であって、前記ｓ個の第二の外部端子は並列に設けられており、前記ｓ個の第三の外部端子は並列に設けられていることを特徴とする請求項１６に記載のコンデンサ構造。
【請求項１８】
ｓ＝３であって、前記ｓ個の第二の外部端子は並列に設けられており、前記ｓ個の第二の外部端子のうちの偶数番目のものは前記ｓ個の第二の外部端子のうちの奇数番目のものの間に配置されており、前記ｓ個の第三の外部端子は並列に配置されており、前記ｓ個の第三の外部端子のうちの偶数番目のものは前記ｓ個の第三の外部端子の奇数番目のものの間に配置されていることを特徴とする請求項１６に記載のコンデンサ構造。
【請求項１９】
インダクタと、第一のコンデンサおよび第二のコンデンサを有するコンデンサ構造とを備えるフィルタであって、
前記第一のコンデンサは、ｍ個の電極と、ｎ個の第一の外部端子と、ｓ個の第二の外部端子とを有し、
前記ｍ個の電極のそれぞれは間隔をあけて並列に配置されており、
ｍは１よりも大きい整数であり、
前記ｍ個の電極のそれぞれは第一のエクステンションを備えており、
前記ｍ個の電極のそれぞれは第二のエクステンションを備えており、
ｎは１よりも大きい整数であり、
前記ｎ個の第一の外部端子は、前記コンデンサの第一の共通外表面上に配置されており、
前記ｍ個の電極板の偶数番目のものの第一のエクステンションは、前記ｎ個の第一の外部端子の偶数番目のものに連結されており、
前記ｍ個の電極板の奇数番目のものの第一のエクステンションは、前記ｎ個の第一の外部端子の奇数番目のものに連結されており、
ｓは１よりも大きい整数であり、
前記ｓ個の第二の外部端子は前記コンデンサの第二の共通外表面上に配置されており、
前記ｍ個の電極板の偶数番目のものの第二のエクステンションは、前記ｓ個の第二の外部端子のうちの偶数番目のものに連結されており、
前記ｍ個の電極板の奇数番目のものの第二のエクステンションは、前記ｓ個の外部端子のうちの奇数番目のものに連結されており、
前記第二のコンデンサは、ｘ個の電極と、ｓ個の第三の外部端子とを有し、
前記ｘ個の電極のそれぞれは間隔をあけて並列に配置されており、
ｘは３よりも大きい整数であり、
前記ｘ個の電極のそれぞれは第三のエクステンションを備えており、
前記ｓ個の第三の外部端子は、前記コンデンサの第三の共通外表面上に配置されており、
前記ｘ個の電極板の偶数番目のものの第三のエクステンションは、前記ｓ個の第三の外部端子の偶数番目のものに連結されており、
前記ｘ個の電極板の奇数番目のものの第三のエクステンションは、前記ｓ個の第三の外部端子の奇数番目のものに連結されており、
前記第二のコンデンサは、前記第一のコンデンサの上に実装され、
前記ｓ個の第三の外部端子は、それぞれ前記ｓ個の第二の外部端子の対応する一つに接続され、
前記インダクタは前記ｎ個の第一の外部端子のうちの偶数番目のものに接続されており、
出力端子は前記ｎ個の第一の外部端子のうちの偶数番目のものに接続されており、
基準電圧は前記ｎ個の第一の外部端子のうちの奇数番目のものに接続されていることを特徴とするフィルタ。
【請求項２０】
請求項１９に記載のフィルタと、多層プリント回路基板とを備えている電圧調整器であって、
前記コンデンサ構造は前記多層プリント回路基板上に搭載されており、
前記インダクタは、前記多層プリント回路基板の第一のトレースに接続されており、
前記第一のトレースは、第一の複数のビアを介して前記ｎ個の第一の外部端子のうちの前記偶数番目のものに接続されており、
前記出力端子は前記多層プリント回路基板上の第二のトレースに接続されており、
前記第二のトレースは、第二の複数のビアを介して前記ｎ個の第一の外部端子のうちの偶数番目のものに接続されており、
基準電圧は、前記多層プリント回路基板上の第三のトレースに接続されており、
前記第三のトレースは、第三の複数のビアを介して前記ｎ個の第一の外部端子のうちの前記奇数番目のものに接続されていることを特徴とする電圧調整器。